(57)【要約】【課題】簡単操作により一目瞭然性を持って各種認証データを検索種別に閲覧する。【解決手段】本発明のメモリカード１は、薄形ケース１ａ上に、表示部６と暗証番号などの秘密データを入力するための入力キー１０ａ並びに呼出しキー９ａとを有するキー操作部２０を設け、ケース１ａ内には、メモリ２２，２３，２６と、キー操作に応じて、メモリへの読出し書込みを行わせるとともに、その内容を表示部６に表示させるための統括制御を行う中央処理装置２１とを具備してなり、前記呼出しキー９ａは、ケース１ａの表面に検索種別に表示された検索項目１１毎に複数配置されている。【選択図】      図１
2009054109.tif 000002
【特許請求の範囲】
【請求項１】
薄形ケース上に、表示部と暗証番号などの秘密データを入力するための入力キー並びに呼出しキーとを有するキー操作部を設け、前記ケース内には、メモリと、キー操作に応じて、メモリへの読出し書込みを行わせるとともに、その内容を表示部に表示させるための統括制御を行う中央処理装置とを具備してなり、
前記呼出しキーは、前記ケースの表面に検索種別に表示された検索項目毎に複数配置されていることを特徴とするメモリカード。
【請求項２】
前記中央処理装置は、前記メモリ内に予め設定した暗唱コードと、キー入力された暗唱コードの一致を判別し、一致と判定された時に前記メモリ、表示部並びにキー操作部を起動させることを特徴とする請求項１記載のメモリカード。
【請求項３】
前記ケース上にバイオメトリクスセンサを設けるとともに、前記中央処理装置は、バイオメトリクスセンサで検出された個人生体情報と、予め登録された個人生体情報とを比較し、一致と判定された時に前記メモリ、表示部並びにキー操作部を起動させることを特徴とする請求項１記載のメモリカード。
【請求項４】
前記バイオメトリクスセンサが、指紋照合センサであることを特徴とする請求項３記載のメモリカード。
【請求項５】
前記検索項目が、当該検索項目をジャンル別に分類し、分類毎に定型文として印刷、あるいは手書を可能としたラベルからなり、当該ラベルをラベルシートから剥がして対応する前記呼出しキーの近傍に貼付するものであることを特徴とする請求項１〜４いずれか記載のメモリカード。
【発明の詳細な説明】
【技術分野】
【０００１】
本発明は、携帯する本人のみが知りうる暗証番号などの秘密情報を、簡単な操作により、自在に閲覧しうるようにしたメモリカードに関する。
【背景技術】
【０００２】
今日の情報化社会の中で個人情報管理は各種分野においてますます増加し、人間の記憶という領域を越えてしまった。すなわち、本人認証のための各種秘密データは、本人の記憶に頼るには限界を越えている一方、日常生活の中では、これら秘密データを構成する記号との共存を強いられる時代となっている。
【０００３】
例えば、銀行、証券会社のＡＴＭで出金するときの暗証番号、インターネット、パソコンや携帯電話におけるパスワード、金庫やスーツケースの暗証番号等々、多種多様の数値、文字あるいはこれらの組合からなる秘密データは、当初登録時の個人記憶容量を遙かに越えるものとなっている。
【０００４】
これら秘密データを、本人の誕生日や電話番号など、本人にとって覚えやすく関連づけされた数値に設定した場合には、第三者に容易に類推され易く、ために犯罪予防の観点からは推奨されず、かといって無意味な記号の羅列では忘れやすいものとなる。そして、照合結果が一旦「不一致」であると読取側に判定された場合には、本人確認のための問い合せ手続き、再設定作業など、極めて面倒な作業を要するものとなる。加えて、現在では、例えば、パスワードの硬直化を防止するために、システム側から定期的にパスワード変更を要求される場合もあり、こうなるとますます記憶に混乱を生ずる原因となる。
【０００５】
このような場合に備えて、秘密データの登録時に、手帳に書込んでおけば、以後は必要に応じて手帳内のデータを探し出すことにより、該当する分野における秘密データの閲覧が可能となる。
【０００６】
また、秘匿性を高めた電子式手帳（カード）の一例として、例えば下記特許文献１には、登録済の暗唱コードと入力された暗唱コードとの一致を利用し、一致していると判別されたときのみメモリ内容を読出して表示部に表示する機能を有するものが開示されている。
【特許文献１】特許出願公告平３−１２７５４号公報
【発明の開示】
【発明が解決しようとする課題】
【０００７】
しかし、手書式の手帳の場合には、基本的には記録容量が小さいため、他のメモなどにより手帳が満杯になると、新たな手帳と交換しなければならず、その都度認証データを新たな手帳に転載することが必要であり、管理が面倒である。また、電子式手帳は容量が大きいが、ポケットサイズとするために、各記憶エリアを呼出すために各種操作を要し、これらの操作を一々添付のマニアルに従って覚えなければならず、操作が複雑となり、記号、文字も小さいため、特に高齢者にとっては複雑に過ぎ、高負担となっていた。
【０００８】
また、特許文献１に記載の電子式手帳では、予め暗号コードを設定しておけば、他人には見ることができないため安全であるが、これとても暗唱コードを忘れてしまった場合には使用できないとともに、スクロールボタンによって必要な秘密データを検索する必要があり、現在確認しようとする認証データまでたどり着くまでは、時間がかかり、面倒なスクロール操作を余儀なくされるため、前記と同様に高齢者にとっては操作が複雑に過ぎ、高負担となっていた。
【０００９】
本発明は、以上の課題を解決するものであり、その目的とするところは、簡単操作により一目瞭然性を持って各種秘密データを検索種別に閲覧できるようにしたメモリカードを提供するものである。
【課題を解決するための手段】
【００１０】
前記目的を達成するため、本発明は、薄形ケース上に、表示部と、暗証番号などの秘密データを入力するための入力キー並びに呼出しキーとを有するキー操作部を設け、前記ケース内には、メモリと、キー操作に応じて、メモリへの読出し書込みを行わせるとともに、その内容を表示部に表示させるための統括制御を行う中央処理装置とを具備してなり、  前記呼出しキーは、前記カードの表面に検索種別に表示された検索項目毎に複数配置されていることを特徴としている。
【００１１】
請求項２の発明は、請求項１において、前記中央処理装置は、前記メモリ内に予め設定した暗唱コードと、キー入力された暗唱コードの一致を判別し、一致と判定された時に前記メモリ、表示部並びにキー操作部を起動させることを特徴としている。
【００１２】
請求項３の発明は、請求項１において、前記ケース上にバイオメトリクスセンサを設けるとともに、前記中央処理装置は、バイオメトリクスセンサで検出された個人生体情報と予め登録された個人生体情報とを比較し、一致と判定された時に前記メモリ、表示部並びにキー操作部を起動させることを特徴としている。
【００１３】
請求項４の発明は、請求項３において、前記バイオメトリクスセンサが、指紋認証センサであることを特徴としている。
【００１４】
請求項５の発明は請求項１〜請求項４のいずれかにおいて、前記検索項目が、当該検索項目をジャンル別に分類し、分類毎に定型文として印刷、あるいは手書を可能としたラベルからなり、当該ラベルをラベルシートから剥がして対応する前記呼出しキーの近傍に貼付するものであることを特徴としている。
【発明の効果】
【００１５】
請求項１の発明によれば、検索種に対応したキーを押せば、直ちにその検索種に応じた認証データを表示部に表示させることができるため、面倒なスクロール操作を要することなく、一目瞭然性を持って秘密データの確認ができる。
【００１６】
請求項２の発明によれば、請求項１の作用効果に加え、カードそのものに設定された暗唱コードにより、起動できるため、秘匿性を確保することができる。
【００１７】
請求項３の発明によれば、請求項１の作用効果に加え、カード所有者の身体的特徴のみで所有者と判定されるため、面倒なコード入力作業も省略できる。
【００１８】
請求項４の発明によれば、請求項３の作用効果に加え、指一本をセンサにタッチすれば、カード所有者の有無が直ちに判定できるため、カードそのものを小形化でき、比較的簡単に個人認証ができる。
【００１９】
請求項５の発明によれば、請求項１〜４の作用効果に加え、ユーザの重要度や使用頻度に応じて、検索項目の配列をユーザ自身がカスタマイズできるため、使い勝手をさらに向上できる。
【発明を実施するための最良の形態】
【００２０】
以下、本発明の実施形態につき、添付図面を用いて詳細に説明する。図１は本発明に係るメモリカードの正面図、図２は斜視図である。
図において、メモリカード１は、扁平薄形であって、ほぼポケット手帳と同じような縦横寸法に形成されたケース１ａの表面に、その上部側から順に、電源ボタン２、インジケータランプ３、並びにボタン横に配置された指紋照合センサ４と、その下部に配置されたソーラー電池パネル５と、パネル５の下部に配置された液晶表示部６と、表示部６の下部に配置されたキー操作領域７とを具備したものである。
【００２１】
指紋照合センサ４は、矩形枠の内側に指先大の面積の接触式指紋リーダを設けたものであり、図２に示すように、ユーザの指先をリーダ面に押し当てることにより、ユーザ固有の指紋の読取り／照合を可能としたものである。
【００２２】
液晶表示部６は、大形であって、文字が大きく見やすいものであるが、特に秘匿性を高めるため画面が正面から見ないと見えにくい、ことを逆のメリットとして、安価なＳＴＮ方式が推奨されるほか、その背面にはメモリカード１がアクチブになった状態で点灯する白色発光ダイオードからなるバックライト（図示略）などを備える。
【００２３】
キー操作領域７のうち、上半部の印刷された破線８で囲われた領域は、呼出しキー領域９、下半部は暗証番号などの秘密データを入力するための登録キー領域１０である。
【００２４】
呼出しキー領域９の最上部中央には、枠で囲った「メニュー」なる文字が印刷、刻印などにより表示され、その下部には縦５列、横２列の配置で、合計１０個のボタン形の呼出しキー９ａが配列され、各呼出しキー９ａの横には登録されるべき秘密データの検索項目が、ラベル１１の貼り付けにより表示されている。
【００２５】
各ラベル１１は、メモリカード１の付属品として、販売時に図示しないラベルシートに貼着した状態で添付されるものであり、当該メモリカード１のユーザが、その検索項目の重要性や利用頻度などに応じて任意にその検索項目に対応する定型文を印刷した複数のラベル１１を選んでラベルシートから剥がし、対応する呼出しキー９ａの横に貼付けることにより、ユーザ自身によるカスタマイズが可能となっている。
【００２６】
図例では、一例として、最上部左側の「１」と印刷された呼出しキー９ａは、銀行・郵便局の暗証番号を印刷したラベル１１が貼付けられ、以下「２」のキー９ａには証券暗証番号が、「３」のキー９ａには、クレジットの暗証番号・・・・と、「８」のキー９ａの対応位置まで各種定型文を印刷したラベル１１が貼着され、さらに「９」、「１０」のキー９ａに対応するラベルには「その他」と印刷されている場合を示している。なお、「９」、「１０」のキー９ａについては、無印刷のラベル１１を用意しておき、この表面にペンなどによりユーザが利用している固有の検索項目を書込んでも良い。
【００２７】
また、例えば取引銀行などは１社に限らず、複数社ある場合が通常であり、同様にして他の検索項目においても複数ある場合が多いので、登録または閲覧に際し、呼出しキー９ａを押す毎に当該検索項目内の別画面に次々にスクロールするようになっている。
【００２８】
登録用キー領域１０の最上部中央には、枠で囲った「登録」なる文字が印刷、刻印などにより表示されているとともに、その下部には携帯電話のキー配列と同様に縦５列、横３列、合計１５個の楕円形の入力キー１０ａが配列されている。
【００２９】
各入力キー１０ａのうち、最上部横３列は、それぞれ、文字／記号の変換用キー、データクリアキー、登録用キーなどの設定用キーであり、その下部側は入力操作用のキーとなっており、これらの各入力キー１０ａを駆使することによって、表示部６の表示に従って対話方式による数字・文字などの入力作業が可能であり、特に携帯電話でのメールのやりとりに慣れた人にとっては、通常の操作方式となっている。
【００３０】
図３は以上のメモリカード１の回路構成を示す。図において、２０は前記呼出しキー９ａの群および入力キー１０ａの群に対応したキー操作部、２１は中央処理装置（以下ＣＰＵと略称する）であり、ＣＰＵ２１は、キー操作部２０からの入力操作に応じてＲＯＭ２２に内蔵された制御プログラム、およびＲＡＭ２３に内蔵された記憶内容に基づき、表示部６に対する表示およびメモリなどを統括制御する。なお、２５はＲＡＭ２３に対するバックアップ用バッテリであり、電源断時において前記ソーラー電池パネル５で得られた電源と協働してメモリバックアップを行う。
【００３１】
ＲＯＭ２２は一部書込み可能としたものであり、外部接続端子２７を介して図示しないＲＯＭライターなどに接続可能としている。
【００３２】
メモリカード１に対する指紋の登録方法は次の通りである。まずメモリカード１の購入時において、ＲＯＭライターを接続し、指紋照合センサ４の検出面に購入したユーザの指先を押付けることにより、センサ４で指紋画像を読取ると、読取られた画像をセンサ４に設けた図示しない変換部に内蔵した所定のアルゴリズムに従って指紋データ（コードデータ）に変換し、この指紋データを、ＲＯＭライターなどを介してＲＯＭ２２にその指紋データを書込んで登録するようになっており、一旦書込まれたデータは消去されることなく、永続的となる。なお、登録に当っては、購入したユーザ本人のみでなく、ユーザに信用のおける肉親、親近者など複数人の登録を可能とすべく、その書込み領域の容量を確保しておけばよい。また、ＲＯＭライターなどは通常は個人持ちすることはないので、購入する店舗側で用意しておき、これに購入したメモリカード１を接続して登録を行えばよい。    
【００３３】
登録後、ＣＰＵ２１は、指紋検出センサ４の検出データとＲＯＭ２２に書込まれた登録データとを照合し、登録データとも一致しない場合、すなわち、非登録者と判定された場合には、電源スイッチ２が押されても内部回路は休止状態に保たれたままとし、一致した場合には、内部回路を立上げ、以後はキー９ａ，１０ａの操作による各認証データの閲覧や、登録が可能となっている。
【００３４】
この状態変化は、インジケータランプ３の点灯や、表示部６のバックライトの点灯などによって容易に目視確認できるほか、特に非登録者が当該メモリカード１を不正に取得した場合に備えて、図示しないブザーなどを内蔵しておき、照合データが一致しない場合には、警報音を発生することも可能である。
【００３５】
また、指紋検出センサ４による照合アルゴリズムは、指紋隆起線から特徴点抽出を行う方法（マニューシャ法）や、指紋画像を波形とてみなし、その周波数スペクトルを個人の特徴として照合する方法などがあり、その詳細については省略するが、極めて高い確度で本人（登録者）と赤の他人（非登録者）との識別が可能である。
【００３６】
次に、以上のメモリカード１に対する認証コードの閲覧・登録手順の一例を図４，５を用いて説明する。なお、前述のごとき方法により、ユーザの指紋登録は既になされることを前提として説明する。各図において、電源ボタン２のオンにより内部回路初期化されるが、休止モードに保たれ、同時にタイマ処理がなされる。
【００３７】
この後ユーザがその指をセンサ４に押付けることにより、登録者との照合がなされ、判定結果がＮＯの場合には、休止状態に保たれ、表示部６の画面は黒のままインジケータランプ３が点滅したまま推移し、このまま放置あるいはセンサ４の検出データが登録データに一致しなければ、所定時間経過後にタイムアップ信号が出力され、自動的に電源断となる（以上図４のＳＴ1〜ＳＴ６参照）。つまり第３者には全く使えないものとなる。
【００３８】
これに対し、タイマの設定時間内にセンサ４による検出データが、登録データに一致と判定されると、ＣＰＵ２１はアクティブとなり、各部を起動し、インジケータランプ３が点灯するとともに、表示部６のバックライトが点灯し、表示部６に初期画面が表示される（図４のＳＴ７参照）。
【００３９】
初期画面には、例えば「データ閲覧／呼出しボタンを押す、登録／入力ボタン操作」などの文字が２行に亘って表示される（図５（ａ）参照）。
【００４０】
ここで例えば、銀行、郵便局の欄に認証データのいくつかが既に入力されているとして、「１」の呼出しキー９ａを一回押せば、最初に登録された銀行名とカード暗唱番号を一セットとした閲覧画面（１）が表示され、二回押せば、次の銀行名とカード暗証番号を一セットとした閲覧画面（２）が表示される（図４のＳＴ８．９、図５（ｂ），（ｃ）参照）。
【００４１】
引続き３回目を押したときに、当該閲覧画面（３）が未登録画面であった場合（図４のＳＴ１０、図５（ｄ）参照）は、「登録／入力ホタン操作」などの入力操作を促す第２の初期画面が表示される。このとき、別の銀行のカード暗証番号の登録の必要性がある場合には、入力キー１０ａを操作し、銀行名と、カード暗証番号を入力する。入力操作後、登録する場合には、入力キー１０ａ中の登録キーを押せば、閲覧画面（３）として登録される（図４のＳＴ１１〜１３、図５（ｅ）参照）。また不要であると判断したら、入力キー１０ａ中のクリアキーを押せば、閲覧画面（３）は、元の未登録画面となる（図４のＳＴ１４，１５参照）。
【００４２】
このようにして、銀行・郵便局欄、およびその他の検索項目の閲覧および／または登録作業が終ったならば、電源ボタン２を再度押せば（図４のＳＴｎ参照）電源断となり、閲覧・登録作業とも終了する。また登録を行った場合には、次回からのメモリカード１の立上げ時に該当する検索項目内の特定閲覧画面に登録したデータが表示されるものとなる。    
【００４３】
以上のように、ユーザは電源ボタン２を押し、指紋照合センサ４に指を押付けるだけで、その後は自由に該当する検索項目における暗証番号、パスワードなどを閲覧できるため、例えば、銀行などのＡＴＭでの暗証番号の入力に際しては、持っているメモリカード１の表示部６を見ながら操作すれば良く、極めて便利で間違いもない。また登録時における入力キー１０ａの操作は高齢者にとっては若干面倒であるが、例えば肉親のうち、若年層は携帯メールの入力操作に慣れているため、当初の入力操作は、その肉親に教わりながら行うことによって入力操作も順次慣れるうえ、世代の離れた肉親間の対話などにも好適である。
【００４４】
なお、他のバイオメトリックセンサー手段、例えば虹彩センサやＣＣＤによる顔などの撮像データと予め登録されたデータとを照合することによって本人確認を行うこともできるが、前記実施例のように、指紋照合センサ４が、コストや簡易性、および年齢による本人の固有性の変化がないなどの点で最も有効である。
【００４５】
また、本発明では、最初に暗唱コードの入力により、メモリカード１の使用ができるようにしても良い。さらに、認証手段を全て廃し、電源を入れれば直ちに閲覧、登録できるようにすれば、さらに使い勝手が良いものとなる。
【００４６】
いずれにおいても、本発明においては同一検索項目内では、押しボタン操作によるスクロールが必要ではあるものの、検索項目が検索項目別に整然と区画されているため、従来のようなスクロールなどによる面倒で複雑な手順を通ることなく、一目瞭然性を持って暗証番号などを直ちに検索できるものとなる。
【図面の簡単な説明】
【００４７】
【図１】本発明に係るメモリカードの正面図である。
【図２】同斜視図である。
【図３】内部回路構成を示すブロック図である。
【図４】閲覧・検索手順の一例を示すフローチャートである。
【図５】（ａ）〜（ｅ）は、同手順における表示画面の変化を示す説明図である。
【符号の説明】
【００４８】
１  メモリカード
１ａ  薄形ケース
２  電源ボタン
４  指紋照合センサ
６  液晶表示部
９ａ  呼出しキー
１０ａ  入力キー
１１  ラベル（検索項目）
２０  キー操作部
２１  中央処理装置（ＣＰＵ）
２２，２３  メモリ（２２  ＲＯＭ、２３  ＲＡＭ）
【図１】
2009054109.tif 000003
【図２】
2009054109.tif 000004
【図３】
2009054109.tif 000005
【図４】
2009054109.tif 000006
【図５】
2009054109.tif 000007